(57)【要約】      （修正有）【課題】ＬＥＤ照明が有する特徴、すなわち寿命が長い、消費電力が小さいという特性を損なわず、しかも低騒音な冷却装置を備えた照明器具を提供する。【解決手段】使用時に一体化されるＬＥＤ光源ランプ３０及び筐体２０を備える照明器具において、一端部が固定された圧電素子１１と、該圧電素子に端部が固着された送風ブレード１２と、圧電素子に交流電圧を印加する駆動部とにより成る送風モジュールを筐体内に設け、更に筐体に孔部２３を設けて構成した。【選択図】図１
0003174401.tif 000002
【実用新案登録請求の範囲】
【請求項１】
使用時に一体化されるＬＥＤ光源ランプ及び筐体を備える照明器具において、
一端部が固定された圧電素子と、圧電素子に端部が固着された送風ブレードと、圧電素子に交流電圧を印加する駆動部とにより成る送風モジュールを筐体内に設けたこと、
筐体に孔部を設けたこと、
を特徴とする照明器具。
【考案の詳細な説明】
【技術分野】
【０００１】
本発明は、ＬＥＤ光源が発生する熱を、ファンで冷却すると共に筐体内の気体を吸排気させることで冷却することが可能な照明器具に関する。
【背景技術】
【０００２】
ＬＥＤ光源の寿命及び輝度は、温度上昇により低下する傾向がある。高輝度のＬＥＤモジュールは、発熱量が高いため特に冷却が必須である。
【０００３】
そこで、従来ＬＥＤ光源を冷却するため、ＬＥＤ基板の裏面に放熱装置を設けることが行われている。例えば、特開２０１１−１８７２６４号公報や特開２０１１−１４６３１９公報には、ＬＥＤモジュールを載置した配線基板の背面にファンを設けた照明器具が開示されている。
【先行技術文献】
【特許文献】
【０００４】
【特許文献１】特開２０１１−１８７２６４号公報
【特許文献２】特開２０１１−１４６３１９号公報
【考案の概要】
【考案が解決しようとする課題】
【０００５】
ＬＥＤ照明は、蛍光灯や白熱電球といった従来型の照明器具と比較すると、寿命が長い、消費電力が小さいという利点を有する。他方でＬＥＤにおいては、８０℃以上で素子の劣化が始まるため、熱に弱いという欠点を有する。
【０００６】
上記従来例は熱に弱いという欠点を解消するためのものであるが、そのために設けられる放熱装置により、かえってＬＥＤ照明が有する他の特徴、すなわち寿命が長い、消費電力が小さいという特性を損なうものである。
【０００７】
つまり、ファンを駆動するための電力が必要となり余計な消費電力が必要となると共に、ファン自体の寿命によりＬＥＤ照明の寿命が制限されてしまうという難点を有する。また、ファンによる騒音の発生という問題点も有する。
【０００８】
そこで本考案は、ＬＥＤ照明が有する特徴、すなわち寿命が長い、消費電力が小さいという特性を損なわず、しかも低騒音な冷却装置を備えた照明器具を提供することを目的とする。
【課題を解決するための手段】
【０００９】
上記の目的を達成する本考案に係る照明器具の構成は次の通りである。
【００１０】
使用時に一体化されるＬＥＤ光源ランプ及び筐体を備える照明器具において、一端部が固定された圧電素子と、圧電素子に端部が固着された送風ブレードと、圧電素子に交流電圧を印加する駆動部とにより成る送風モジュールを筐体内に設け、更に筐体に孔部を設けて構成した。
【考案の効果】
【００１１】
本考案はＬＥＤ光源を備える照明器具内に、ピエゾファンを設けるものである。
【００１２】
図６及び図７はピエゾファンの原理を示すものである。ピエゾファンは圧電素子１に送風ブレード２を貼り合わせて構成され、圧電素子１に交流電源から交流電圧を印加することが可能に設けてある。圧電素子１は電圧が印加されると図中Ｘの方向に伸縮するよう設定されており、プラス電圧を印加すると、送風ブレード２は上向きに彎曲し、マイナス電圧を印加すると下向きに彎曲する。圧電素子１の振動と送風ブレード２の振動が共振するとき、送風ブレード２の先端のＺ方向の移動量が大きくなり、冷却に有効な風を起こすことができる。
【００１３】
このピエゾファンは同程度の送風能力を有する軸流ファンと比べて消費電力が１５０分の１程度であり、しかもギアやベアリングを要しないので熱がほとんど放出されない。更には、回路の電子信号に干渉する電磁ノイズを発生させず、風切り音もなく、小型化可能という特徴を有している。また、圧電素子と送風ブレードの接着を強固に行いさえすれば、寿命は非常に長いという特性を有する。
【００１４】
図１乃至図５は本考案の各種実施形態を示すものであり、いずれもＬＥＤ光源ランプを備えた照明器具内に上記ピエゾファン１０を設けたものである。ＬＥＤ光源ランプ３０を当該ピエゾファン１０による送風機能で冷却すると共に、筐体２０に設けられた孔部２１を通じて吸排気を行い、筐体２０内の温度上昇を抑制するものである。
【００１５】
ピエゾファン１０は上述のように長寿命、省電力という特性を有するものであり、ＬＥＤ照明が有する特徴を損なわないものである。しかも小型化が可能なものであり、照明器具内に容易に設置可能である。電磁ノイズを発生させないことから半導体たるＬＥＤに与える影響も極小である。
【００１６】
かように本考案によればＬＥＤ照明の特性を損なわず、しかも効率的に冷却可能なＬＥＤ照明器具を提供することが可能となるのである。
【図面の簡単な説明】
【００１７】
【図１】本考案を電球型照明として実施した場合の概略構成断面図
【図２】本考案を電球型照明として実施した場合の概略構成断面図
【図３】本考案をスポットライト型照明として実施した場合の概略構成断面図
【図４】本考案をスポットライト型照明として実施した場合の概略構成断面図
【図５】本考案を街路灯として実施した場合の概略構成断面図
【図６】一般的なピエゾファンを示す正面図
【図７】同斜視図
【考案を実施するための形態】
【００１８】
以下、本考案の実施形態を図面に基づいて説明する。
【００１９】
図１乃至図５は本実施形態の照明器具の冷却構造が示されている。
【００２０】
いずれも照明器具内に送風モジュールを備えるものであり、該送風モジュールは、ピエゾファン１０と、該ピエゾファン１０に交流電圧あるいは矩形波電圧を印加するための電源基板１４とにより成る。送風モジュールは、後述のＬＥＤ光源ランプのＬＥＤモジュールを載置した配線基板の背面を冷却可能な位置に設置される。
【００２１】
ピエゾファン１０は圧電セラミックス板などからなる圧電素子１１の片面に、金属やプラスティックの薄板である送風ブレード１２を貼り合わせて成るものである。
【００２２】
圧電素子１１は厚さ方向（各図における横方向）に交流電圧もしくは矩形波電圧を印加したとき、長さ方向（各図における上下方向）に伸縮するよう設定されている。また、基端側は支持板１３により固定されている。支持板１３は圧電素子１１の基端側を固定できれば任意の形状を採用でき、且つ、筐体２０内の任意の位置に取り付け可能である。
【００２３】
送風ブレード１２は、従来例を示す図７に示される送風ブレード２と同様のものであり、圧電素子１１の幅と略同一の幅を有する薄板を、圧電素子１１の伸縮する方向に圧電素子１１を超える長さで延設してある。  
【００２４】
ＬＥＤ光源ランプ３０は、ＬＥＤモジュール３１と配線基板３２とにより成る。ＬＥＤモジュール３１は、発光素子たるＬＥＤチップ、封止樹脂、リード、リフレクタ等より成る通常の照明モジュールであり、配線基板３２上に設置される。
【実施例１】
【００２５】
本考案の実施例１を図１ 、図２を用いて説明する。
【００２６】
図１、図２は実施例１の照明器具の概略構成を示す断面図である。
【００２７】
実施例１は本考案に係る照明器具を電球型照明として具体化するものであり、図１記載の電球型照明は、ピエゾファン１０を筐体２０内に一つ装備するものであり、図２記載の電球型証明は、ピエゾファン１０を筐体２０内に複数装備するものである。
【００２８】
筐体２０は、口金２１のために一端が伸びた略球形を呈するものである。
【００２９】
筐体２０におけるＬＥＤ光源ランプ３０の前面側は、透光性の高いガラス製あるいは透光性の高い樹脂製の透光カバー２２で構成され、側面は金属製、樹脂製、ガラス製いずれかで構成される。側面には吸排気を行うための複数の孔部２３が設けられている。
【実施例２】
【００３０】
本考案の実施例２を図３ 、図４を用いて説明する。
【００３１】
図３、図４は実施例２の照明器具の概略構成を示す断面図である。
【００３２】
実施例２は本考案に係る照明器具をスポットライト型照明として具体化するものであり、図３記載の電球型照明は、ピエゾファン１０を筐体２４内に一つ装備するものであり、図２記載の電球型証明は、ピエゾファン１０を筐体２４内に複数装備するものである。
【００３３】
筐体２４は略直方体を呈するものであり、筐体２４におけるＬＥＤ光源ランプ３０の前面側は、透光性の高いガラス製あるいは透光性の高い樹脂製の透光カバー２５で構成される。他の面は金属製、樹脂製、ガラス製いずれかで構成され、吸排気を行うための複数の孔部２３が設けられている。
【実施例３】
【００３４】
本考案の実施例３を図５を用いて説明する。
【００３５】
図５は実施例３の照明器具の概略構成を示す断面図である。
【００３６】
実施例３は本考案に係る照明器具を街路灯型照明として具体化するものであり、街路灯としての十分な明るさを確保するため多数のＬＥＤモジュール３１を有すると共に、十分な冷却機能を有するよう多数のピエゾファン１０を筐体２６内に装備するものである。
【００３７】
筐体２６は横長直方体を呈するものであり、筐体２６におけるＬＥＤ光源ランプ３０の前面側は、透光性の高いガラス製あるいは透光性の高い樹脂製の透光カバー２７で構成される。他の面は金属製、樹脂製、ガラス製いずれかで構成され、吸排気を行うための複数の孔部２３が設けられている。
【符号の説明】
【００３８】
１０・・ピエゾファン
１1・・圧電素子
１２‥送風ブレード
１３‥支持板
１４・・電源基板
２０・・筐体
２１‥口金
２２‥透光カバー
２３・・孔部
２４・・筐体
２５・・透光カバー
２６‥筐体
２７‥透光カバー
３０・・LED光源ランプ
３１‥ＬＥＤモジュール
３２・・配線基板
【図１】
0003174401.tif 000003
【図２】
0003174401.tif 000004
【図３】
0003174401.tif 000005
【図４】
0003174401.tif 000006
【図５】
0003174401.tif 000007
【図６】
0003174401.tif 000008
【図７】
0003174401.tif 000009
【手続補正書】
【提出日】平成24年1月17日(2012.1.17)
【手続補正１】
【補正対象書類名】実用新案登録請求の範囲
【補正対象項目名】全文
【補正方法】変更
【補正の内容】
【実用新案登録請求の範囲】
【請求項１】
筐体内にＬＥＤ光源ランプをを備える照明器具において、
一端部が固定された圧電素子と、圧電素子に端部が固着された送風ブレードと、圧電素子に交流電圧を印加する駆動部とにより成る送風モジュールを筐体内に設けたこと、
筐体に孔部を設けたこと、
を特徴とする照明器具。
【手続補正書】
【提出日】平成24年1月17日(2012.1.17)
【手続補正１】
【補正対象書類名】明細書
【補正対象項目名】００１０
【補正方法】変更
【補正の内容】
【００１０】
筐体内にＬＥＤ光源ランプを備える照明器具において、一端部が固定された圧電素子と、圧電素子に端部が固着された送風ブレードと、圧電素子に交流電圧を印加する駆動部とにより成る送風モジュールを筐体内に設け、更に筐体に孔部を設けて構成した。
【手続補正２】
【補正対象書類名】明細書
【補正対象項目名】００３２
【補正方法】変更
【補正の内容】
【００３２】
実施例２は本考案に係る照明器具をスポットライト型照明として具体化するものであり、図３記載のスポットライト型照明は、ピエゾファン１０を筐体２４内に一つ装備するものであり、図４記載のスポットライト型照明は、ピエゾファン１０を筐体２４内に複数装備するものである。